(57)【要約】  【課題】  光学部品の点数を減らすことで、該光学部品の取り付け、位置決めの手間と時間を省略することができ、製造コストを低減することができるとともに、光学部品を配置に必要な領域を縮小することで、光ヘッド装置の設計の自由度を高めることができ、光ヘッド装置を小型化し、該光ヘッド装置の駆動に必要なエネルギを低減する。  【解決手段】  レーザ光源Ｌｄ、グレーティングＧｒ、ビームスプリッタ部３１とレンズ部３２とを有する偏光ビームスプリッタ３、ミラーＭｒ、コリメータレンズＬｃ、１／４波長板Ｑｂとが取り付けられるスライドベース１と、対物レンズＬｂを備えるアクチュエータ２を有し、偏光ビームスプリッタ３がビームスプリッタ部３１は入射してくるレーザ光の振動方向によって、透過又は反射する光学素子である光ヘッド装置Ａ。【選択図】      図１
2007073100.tif 000002
【特許請求の範囲】
【請求項１】
光ディスクにレーザ光を照射することでデータの読出し又は書込みを行う光ヘッド装置
であって、
直線偏光のレーザ光を照射するレーザ光源と、透過するレーザ光を３ビーム化するグレ
ーティングと、前記レーザ光を反射し該レーザ光の光路を屈曲させるミラーと、前記レー
ザ光を平行光にするコリメータレンズと、前記レーザ光を偏光するための１／４波長板と
、前記光ディスクで反射したレーザ光を受光し電気信号に変換する受光素子と、前記レー
ザ光源から出射されたレーザ光を透過して光ディスクに向けて出射し、前記光ディスクで
反射したレーザ光を反射して前記受光素子に向けて出射する偏光ビームスプリッタとを有
するスライドベースと、
前記スライドベースに取付固定されるアクトベースと、前記アクトベースに取り付けら
れ、磁界を形成する永久磁石と、前記光ディスクにレーザ光を照射する対物レンズと、前
記対物レンズを保持し前記永久磁石にて形成される磁界内に配置されるレンズホルダと、
前記永久磁石が形成する磁界と交差するように前記レンズホルダに取り付けられ、該レン
ズホルダを駆動する駆動コイルと、前記駆動コイルに電力を供給する電力供給手段とを有
するアクチュエータとを具備し、
前記偏光ビームスプリッタは立方体又は略立方体形状のビームスプリッタ部と凸形状の
シリンドリカルレンズと同様の形状を有するレンズ部とを有し、前記ビームスプリッタ部
は直線偏光のレーザ光をその偏光方向によって透過又は反射するものであり、前記レンズ
部は前記ビームスプリッタ部で反射したレーザ光が出射する面に一体に形成されているこ
とを特徴とする光ヘッド装置。
【請求項２】
光ディスクにレーザ光を照射することでデータの読出し又は書込みを行う光ヘッド装置
であって、
直線偏光のレーザ光を照射するレーザ光源と、透過するレーザ光を３ビーム化するグレ
ーティングと、前記レーザ光を反射し該レーザ光の光路を屈曲させるミラーと、前記レー
ザ光を平行光にするコリメータレンズと、前記レーザ光を偏光するための１／４波長板と
、前記光ディスクで反射したレーザ光を受光し電気信号に変換する受光素子と、前記レー
ザ光源から出射されたレーザ光を前記光ディスクに向けて出射し、前記光ディスクで反射
したレーザ光を前記受光素子に向けて出射する偏光ビームスプリッタとを有するスライド
ベースと、
前記スライドベースに取付固定されるアクトベースと、前記アクトベースに取り付けら
れ、磁界を形成する永久磁石と、前記光ディスクにレーザ光を照射する対物レンズと、前
記対物レンズを保持し前記永久磁石にて形成される磁界内に配置されるレンズホルダと、
前記永久磁石が形成する磁界と交差するように前記レンズホルダに取り付けられ、該レン
ズホルダを駆動する駆動コイルと、前記駆動コイルに電力を供給する電力供給手段とを有
するアクチュエータとを具備し、
前記偏光ビームスプリッタはビームスプリッタ部と非点収差を発生するレンズ部とを有
し、前記ビームスプリッタ部は直線偏光のレーザ光をその偏光方向によって透過又は反射
するものであり、前記レンズ部は前記ビームスプリッタ部で反射したレーザ光が出射する
面に一体に形成されていることを特徴とする光ヘッド装置。
【請求項３】
前記偏光ビームスプリッタのレンズ部は凸形状のシリンドリカルレンズと同様の形状を
有することを特徴とする請求項２に記載の光ヘッド装置。
【請求項４】
前記偏光ビームスプリッタのビームスプリッタ部は前記レーザ光源から出射されたレー
ザ光を反射し、前記光ディスクで反射されたレーザ光を透過するものであることを特徴と
する請求項２又は請求項３に記載の光ヘッド装置。
【請求項５】
前記偏光ビームスプリッタは前記ビームスプリッタ部と前記レンズ部とが一体に形成さ
れていることを特徴とする請求項２、請求項３又は請求項４のいずれかに記載の光ヘッド
装置。
【発明の詳細な説明】
【技術分野】
【０００１】
本発明は、データの記録又は読出しのために光ディスクにレーザ光を照射する光ヘッド
装置に関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は光ディスクの記録面に対しレーザ光を照射し、反射してきた光を検
出する光ヘッド装置を備えている。
【０００３】
図７に従来の光ヘッド装置の配置図を示す。図７に示す光ヘッド装置はそれには限定さ
れないがここでは、光ディスクに記録されているデータを読出す読出し専用の光ヘッド装
置である。図１に示すようにレーザ光源Ｌｄと、レーザ光を３ビーム化するグレーティン
グＧｒと、偏光ビームスプリッタＰＢｓと、ミラーＭｒと、コリメータレンズＬｃと、対
物レンズＬｂと、１／４波長板Ｑｂと、受光素子Ｐｄと、センサレンズＬｓとを有してい
る。
【０００４】
レーザ光源Ｌｄより照射されたレーザ光グレーティングＧｒにて３ビーム化され、偏光
ビームスプリッタＰＢｓを透過する。レーザ光源Ｌｄより出射されるレーザ光は直線偏光
であり、偏光ビームスプリッタＰＢｓはこのレーザ光が透過することができるように配置
されている。偏光ビームスプリッタＰＢｓを透過したレーザ光は１／４波長板Ｑｂを透過
し円偏光に変換され、ミラーＭｒで反射されてコリメータレンズＬｃに入射する。コリメ
ータレンズＬｃに入射したレーザ光は平行光として対物レンズＬｂに入射する。対物レン
ズＬｂに入射したレーザ光は集光され光ディスクＤｓの記録面にレーザスポットとして照
射される。
【０００５】
ディスクの記録面で反射したレーザ光は対物レンズＬｂを透過し、コリメータレンズＬ
ｃを透過する。コリメータレンズＬｃを透過したレーザ光はミラーＭｒで反射され、１／
４波長板Ｑｂに入射する。ディスクの記録面で反射し１／４波長板Ｑｂに入射するレーザ
光は１／４波長板Ｑｂから出射するレーザ光とは逆方向に回転する円偏光であり、１／４
波長板Ｑｂを透過するときにレーザ光は円偏光から直線偏光に変換される。直線偏光に変
換されたレーザ光の振動面はレーザ光源Ｌｄ側から偏光ビームスプリッタＰＢｓに入射す
るレーザ光の振動面に対して９０°傾く。１／４波長板Ｑｂより出射したレーザ光は偏光
ビームスプリッタＰＢｓに入射する。
【０００６】
偏光ビームスプリッタＰＢｓはレーザ光源Ｌｄから照射されるレーザ光が透過できるよ
うに配置されているので、レーザ光源Ｌｄから照射されるレーザ光の振動面に対して９０
°傾いた振動面を有する直線偏光のレーザ光は偏光ビームスプリッタＰＢｓで反射されて
受光素子Ｐｄ方面に出射される。偏光ビームスプリッタＰＢｓから出射されたレーザ光は
センサレンズＬｓに入射し、受光素子Ｐｄにてレーザ光を検出する。センサレンズＬｓは
シリンドリカルレンズが使われており、非点収差を発生させ、光ヘッド装置のフォーカシ
ングを行う（特開２００４−２８８３４０号公報、特開２００２−２９８４２５号公報等
参照）。
【特許文献１】特開２００４−２８８３４０号公報
【特許文献２】特開２００２−２９８４２５号公報
【発明の開示】
【発明が解決しようとする課題】
【０００７】
光ヘッド装置の光学部品は精度よく配置されていなくてはならず、偏光ビームスプリッ
タＰＢｓとセンサレンズＬｓも相対位置がずれないように配置されなくてはならない。ま
た、センサレンズＬｓと受光素子Ｐｄとの相対位置もずれないように配置されなくては、
受光素子Ｐｄに照射するレーザ光の光軸及び焦点がずれ、必要な信号を得ることができな
い。
【０００８】
偏光ビームスプリッタＰＢｓ及びセンサレンズＬｓは接着剤でベース部材に取り付けら
れるものであり、接着剤は熱によって接着が緩む。偏光ビームスプリッタＰＢｓはレーザ
光が出射しない又は入射しない面を、レーザ光が通過する光路の壁面に密接させて配置す
ることができるので位置決めしやすいが、センサレンズＬｓは接着に頼らなくてはならず
、ずれたり、傾いたり等の不具合の原因になりやすい。
【０００９】
そこで本発明は、光ディスクにレーザ光を照射し情報を記録する又は読み出すための光
ヘッド装置であって、センサレンズの配置精度による受光素子に照射されるレーザ光の光
軸、焦点のずれの発生を抑制し、前記光ディスクからの信号の読み取り精度を向上させる
とともに、温度変化等の環境変化による信頼性の低下を抑制することを目的とする。
【００１０】
また本発明は、光ディスクにレーザ光を照射し情報を記録する又は読み出すための光ヘ
ッド装置であって、光学部品の点数を減らすことで、該光学部品の取り付け、位置決めの
手間と時間を省略することができ、それだけ、製造コストを低減することを目的とする。
【００１１】
さらに本発明は、光ディスクにレーザ光を照射し情報を記録する又は読み出すための光
ヘッド装置であって、光学部品を配置に必要な領域を縮小することで、光ヘッド装置の設
計の自由度を高めることができ、光ヘッド装置を小型化し、該光ヘッド装置の駆動に必要
なエネルギを低減することを目的とする。
【課題を解決するための手段】
【００１２】
上記目的を達成するために本発明は、光ディスクにレーザ光を照射することでデータの
読出し又は書込みを行う光ヘッド装置であって、直線偏光のレーザ光を照射するレーザ光
源と、透過するレーザ光を３ビーム化するグレーティングと、前記レーザ光を反射し該レ
ーザ光の光路を屈曲させるミラーと、前記レーザ光を平行光にするコリメータレンズと、
前記レーザ光を偏光するための１／４波長板と、前記光ディスクで反射したレーザ光を受
光し電気信号に変換する受光素子と、前記レーザ光源から出射されたレーザ光を透過して
光ディスクに向けて出射し、前記光ディスクで反射したレーザ光を反射して前記受光素子
に向けて出射する偏光ビームスプリッタとを有するスライドベースと、前記スライドベー
スに取付固定されるアクトベースと、前記アクトベースに取り付けられ、磁界を形成する
永久磁石と、前記光ディスクにレーザ光を照射する対物レンズと、前記対物レンズを保持
し前記永久磁石にて形成される磁界内に配置されるレンズホルダと、前記永久磁石が形成
する磁界と交差するように前記レンズホルダに取り付けられ、該レンズホルダを駆動する
駆動コイルと、前記駆動コイルに電力を供給する電力供給手段とを有するアクチュエータ
とを具備し、前記偏光ビームスプリッタは立方体又は略立方体形状のビームスプリッタ部
と凸形状のシリンドリカルレンズと同様の形状を有するレンズ部とを有し、前記ビームス
プリッタ部は直線偏光のレーザ光をその偏光方向によって透過又は反射するものであり、
前記レンズ部は前記ビームスプリッタ部で反射したレーザ光が出射する面に一体に形成さ
れていることを特徴とする。
【００１３】
この構成によると、偏光ビームスプリッタとしてビームスプリッタ部とレンズ部とが一
体に形成されているものを採用しているので、ビームスプリッタとレンズとの相対的な位
置決めをしなくてもよく、それだけ、光ヘッド装置の組み立てに位置決め用の道具や機械
を必要としない。
【００１４】
また、位置決めの工程を省略することができるので、その工程を行うための手間と時間
を削減することができる。さらに、ビームスプリッタとレンズの間に空間が存在しないの
で、それだけ、光ヘッド装置の設計の自由度を高めることができる。
【００１５】
さらに、前記ビームスプリッタ部と前記レンズ部とを一体に形成するので、接着部が減
る。接着部が減ることで、温度、振動等の環境変化によって接着剤が変化し、光学部品が
移動して、相対位置の精度が低下するのを抑制することができる。これにより、長期間に
わたって高い読み取り精度を有することができる。
【００１６】
上記目的を達成するために本発明は、光ディスクにレーザ光を照射することでデータの
読出し又は書込みを行う光ヘッド装置であって、直線偏光のレーザ光を照射するレーザ光
源と、透過するレーザ光を３ビーム化するグレーティングと、前記レーザ光を反射し該レ
ーザ光の光路を屈曲させるミラーと、前記レーザ光を平行光にするコリメータレンズと、
前記レーザ光を偏光するための１／４波長板と、前記光ディスクで反射したレーザ光を受
光し電気信号に変換する受光素子と、前記レーザ光源から出射されたレーザ光を前記光デ
ィスクに向けて出射し、前記光ディスクで反射したレーザ光を前記受光素子に向けて出射
する偏光ビームスプリッタとを有するスライドベースと、前記スライドベースに取付固定
されるアクトベースと、前記アクトベースに取り付けられ、磁界を形成する永久磁石と、
前記光ディスクにレーザ光を照射する対物レンズと、前記対物レンズを保持し前記永久磁
石にて形成される磁界内に配置されるレンズホルダと、前記永久磁石が形成する磁界と交
差するように前記レンズホルダに取り付けられ、該レンズホルダを駆動する駆動コイルと
、前記駆動コイルに電力を供給する電力供給手段とを有するアクチュエータとを具備し、
前記偏光ビームスプリッタはビームスプリッタ部と非点収差を発生するレンズ部とを有し
、前記ビームスプリッタ部は直線偏光のレーザ光をその偏光方向によって透過又は反射す
るものであり、前記レンズ部は前記ビームスプリッタ部で反射したレーザ光が出射する面
に一体に形成されていることを特徴とする光ヘッド装置。
【００１７】
この構成によると、偏光ビームスプリッタとしてビームスプリッタ部とレンズ部とが一
体に形成されているものを採用しているので、ビームスプリッタとレンズとの相対的な位
置決めをしなくてもよく、それだけ、光ヘッド装置の組み立てに位置決め用の道具や機械
を必要としない。
【００１８】
また、位置決めの工程を省略することができるので、その工程を行うための手間と時間
を削減することができる。さらに、ビームスプリッタとレンズの間に空間が存在しないの
で、それだけ、光ヘッド装置の設計の自由度を高めることができる。
【００１９】
さらに、前記ビームスプリッタ部と前記レンズ部とを一体に形成するので、接着部が減
る。接着部が減ることで、温度、振動等の環境変化によって接着剤が変化し、光学部品が
移動して、相対位置の精度が低下するのを抑制することができる。これにより、長期間に
わたって高い読み取り精度を有することができる。
【００２０】
前記偏光ビームスプリッタのレンズ部は凸形状のシリンドリカルレンズと同様の形状の
ものを挙げることができる。また、シリンドリカルレンズに限定されるものではなく、非
点収差を発生することができるレンズと同様の形状を広く採用することができる。
【００２１】
前記偏光ビームスプリッタのビームスプリッタ部として前記レーザ光源から出射された
レーザ光を反射し、前記光ディスクで反射されたレーザ光を透過するものを挙げることが
できる。この構成によると、複数のビームスプリッタを採用することで、複数の波長のレ
ーザ光源を用いる光ヘッドにおいて、１つの受光素子で異なる波長のレーザ光を受光する
ことができるので、光ヘッドの構成部材、製造工程を減らすことができ、それだけ、低コ
スト化することができる。
【発明の効果】
【００２２】
本発明によると、光ディスクにレーザ光を照射し情報を記録する又は読み出すための光
ヘッド装置であって、センサレンズの配置精度による受光素子に照射されるレーザ光の光
軸、焦点のずれの発生を抑制し、前記光ディスクからの信号の読み取り精度を向上させる
とともに、温度変化等の環境変化による信頼性の低下を抑制することができる。
【００２３】
また本発明によると、光ディスクにレーザ光を照射し情報を記録する又は読み出すため
の光ヘッド装置であって、光学部品の点数を減らすことで、該光学部品の取り付け、位置
決めの手間と時間を省略することができ、それだけ、製造コストを低減することができる
。
【００２４】
さらに本発明によると、光ディスクにレーザ光を照射し情報を記録する又は読み出すた
めの光ヘッド装置であって、光学部品を配置に必要な領域を縮小することで、光ヘッド装
置の設計の自由度を高めることができ、光ヘッド装置を小型化し、該光ヘッド装置の駆動
に必要なエネルギを低減することができる。
【発明を実施するための最良の形態】
【００２５】
以下に本発明の実施形態を図面を参照して説明する。図１は本発明にかかる光ヘッド装
置の配置図であり、図２は図１に示す光ヘッド装置の平面図であり、図３は図２に示す光
ヘッド装置の側断面図である。図１、２、３に示す光ヘッド装置はそれには限定されない
がここでは、光ディスクに記録されているデータを読出す読出し専用の光ヘッド装置であ
る。
【００２６】
図１に示すように光ヘッド装置Ａはレーザ光源Ｌｄと、レーザ光を３ビーム化するグレ
ーティングＧｒと、ミラーＭｒと、コリメータレンズＬｃと、１／４波長板Ｑｂと、対物
レンズＬｂと、偏光ビームスプリッタ３と、受光素子Ｐｄとを有している。
【００２７】
図２、３に示すように光ヘッド装置Ａはスライドベース１とアクチュエータ２とを有し
ており、スライドベース１には、レーザ光源Ｌｄ、グレーティングＧｒ、偏光ビームスプ
リッタ３、ミラーＭｒ、コリメータレンズＬｃ、１／４波長板Ｑｂとが取り付けられ、対
物レンズＬｂはアクチュエータ２に取り付けられる。
【００２８】
図２に示すようにスライドベース１はアクチュエータ２を配置するためのアクチュエー
タ取付部１１と、レーザ光源Ｌｄを取り付けるための光源取付部１２と、スライドベース
１が摺動するときに摺動ガイドとなるガイド軸と摺動可能に係合するための摺動孔１４と
、アクチュエータ２の距離及び傾角を調整するときにアクチュエータ調整具４が貫通する
ためのアクチュエータ調整孔１０とを備えている。
【００２９】
レーザ光源ＬｄはレーザホルダＬｈに圧入されている。レーザ光源Ｌｄが圧入されたレ
ーザホルダＬｈをスライドベース１の光源取付部１２に配置し、固定することでレーザ光
源Ｌｄをスライドベース１に取付け固定することができる。レーザホルダＬｈはレーザ光
源Ｌｄのレーザ光出射部がスライドベース１の内側を向くように、すなわち、グレーティ
ングＧｒに向けてレーザ光を出射するように取り付けられている。
【００３０】
グレーティングＧｒ、偏光ビームスプリッタ３、１／４波長板Ｑｂ、ミラーＭｒはスラ
イドベース１内部に一直線上に配置されている。偏光ビームスプリッタ３の側面には受光
素子Ｐｄが取り付けられている（図２参照）。
【００３１】
図２、図３に示すように、アクチュエータ２はアクトベース２１と、対物レンズＬｂを
保持するレンズホルダ２２と、アクトベース２１に固定され、レンズホルダ２２を支持す
る支持部２３と、レンズホルダ２２と支持部２３を連結し、レンズホルダ２２に電力を供
給するとともに弾性支持するワイヤーばね２４とを有している。
【００３２】
アクトベース２１は底部２１１と、底部２１１より突出する突出部２１２と、底部２１
１に形成されレンズホルダ２２を非接触に貫通するヨーク２１３と、スライドベース１に
形成されたアクチュエータ取付部１１と係合する取付孔２１０とを有している。突出部２
１２は対向する位置に２個形成されている。ヨーク２１３は２個の突出部２１２の間に突
出部２１２とは直交する方向に対向して２個形成されている。突出部２１２には永久磁石
２１４が配置されており、永久磁石２１４より発生する磁界がレンズホルダ２２に作用す
る。
【００３３】
レンズホルダ２２はレーザ光が透過するための貫通孔２２１が形成されており、貫通孔
を挟むようにヨーク２１３が挿入されるヨーク挿入用の孔２２２が形成されている。レン
ズホルダ２２の貫通孔２２１には対物レンズＬｂが固定されている。レンズホルダ２２に
はレンズホルダ２２を駆動しレンズホルダ２２に保持されている対物レンズＬｂと光ディ
スクＤｓとの距離を調整するフォーカシングコイル（図示省略）と、対物レンズＬｂを光
ディスクＤｓの半径方向に移動させるためのトラッキングコイル（図示省略）とを備えて
いる。
【００３４】
レンズホルダ２２はアクトベース２１のヨーク２１３がヨーク挿入用の孔を貫通するよ
うに配置される。このようにレンズホルダ２２を配置することで突出部２１２に配置され
た永久磁石２１４の磁界がレンズホルダ２２に作用する。アクトベース２１には支持部２
３が配置されており、レンズホルダ２２は弾性を有するワイヤーばね２４を介して支持部
２３に支持されている。レンズホルダ２２はアクトベース２１の底部２１１とは接触しな
いように支持されている。
【００３５】
アクチュエータ２はスライドベース１に接着剤にて固定される。アクトベース２１の取
付孔２１０はアクチュエータ２をスライドベース１に配置したときにスライドベース１の
アクチュエータ取付部１１に対応する場所に形成されており、アクチュエータ取付部１１
とアクトベース２１の取付孔２１０とを係合して接着剤にて接着し、組み立てられる。
【００３６】
レーザ光源Ｌｄより照射されたレーザ光グレーティングＧｒにて３ビーム化され、偏光
ビームスプリッタ３を透過する。レーザ光源Ｌｄより出射されるレーザ光は直線偏光であ
り、偏光ビームスプリッタＰＢｓはこのレーザ光が透過することができるように配置され
ている。偏光ビームスプリッタ３を透過したレーザ光は１／４波長板Ｑｂを透過し円偏光
に変換され、ミラーＭｒで反射されてコリメータレンズＬｃに入射する。コリメータレン
ズＬｃに入射したレーザ光は平行光として対物レンズＬｂに入射する。対物レンズＬｂに
入射したレーザ光は集光され光ディスクＤｓの記録面にレーザスポットとして照射される
。
【００３７】
ディスクの記録面で反射したレーザ光は対物レンズＬｂを透過し、コリメータレンズＬ
ｃを透過する。コリメータレンズＬｃを透過したレーザ光はミラーＭｒで反射され、１／
４波長板Ｑｂに入射する。ディスクの記録面で反射し１／４波長板Ｑｂに入射するレーザ
光は１／４波長板Ｑｂから出射するレーザ光とは逆方向に回転する円偏光であり、１／４
波長板Ｑｂを透過するときにレーザ光は円偏光から直線偏光に変換される。直線偏光に変
換されたレーザ光の振動面はレーザ光源Ｌｄ側から偏光ビームスプリッタ３に入射するレ
ーザ光の振動面に対して９０°傾く。１／４波長板Ｑｂより出射したレーザ光は偏光ビー
ムスプリッタＰＢｓに入射する。
【００３８】
偏光ビームスプリッタ３はレーザ光源Ｌｄから照射されるレーザ光が透過できるように
、すなわち、レーザ光源Ｌｄから出射されるレーザ光の振動方向の光を透過しそれ以外の
方向に振動するレーザ光を反射する配置になっており、１／４波長板Ｑｂから出射される
レーザ光はレーザ光源Ｌｄから照射されるレーザ光の振動面に対して９０°傾いた振動面
を有するので、偏光ビームスプリッタ３で反射されて受光素子Ｐｄ方面に出射される。偏
光ビームスプリッタ３の受光素子Ｐｄと対向する部分は、非点収差を発生させるレンズ（
ここでは、シリンドリカルレンズ）と同様の形状を有するレンズ部３２（後述）が形成さ
れており、非点収差を発生させ、光ヘッド装置のフォーカシングを行う。
【００３９】
図４は本発明にかかる光ヘッド装置に用いられる偏光ビームスプリッタの斜視図であり
、図５は図４に示す偏光ビームスプリッタにレーザ光が入射してきている状態を示す図で
ある。図４及び図５に示すように、偏光ビームスプリッタ３はビームスプリッタ部３１と
レンズ部３２とを有している。ビームスプリッタ部３１とレンズ部３２は一体に形成され
ており、ビームスプリッタ部３１は入射してくるレーザ光の振動方向によって、透過又は
反射する光学素子である。
【００４０】
図５に示すようにレーザ光源Ｌｄより出射されるレーザ光Ｌ１が縦方向に振動するレー
ザ光である場合、ビームスプリッタ部３１を透過し、その先にある１／４波長板Ｑｂに入
射する。光ディスクで反射してきたレーザ光Ｌ２は上述のように１／４波長板Ｑｂを透過
するときに振動面がレーザ光Ｌ２に対して９０°傾いた横方向に変換される。横方向に振
動するレーザ光Ｌ２はビームスプリッタ部３１にて反射され、レンズ部３２を透過して受
光素子Ｐｄに向けて出射する。
【００４１】
レンズ部３２はそれには限定されないがここではシリンドリカルレンズと同様の形状を
有するものであり、円筒状のレンズの一部を軸に沿って切った形状を有している。レーザ
光Ｌ２は所定の第１焦点Ｓ１で集束する光であり、レンズ部３２は断面を切ったときに外
周が曲線状に形成される面に対して第２焦点Ｓ２の距離を伸ばすようにレーザ光を屈折さ
せるものである。外周が直線上に形成される面に対してはレーザ光Ｌ２の第１焦点Ｓ１の
まま影響しない。
【００４２】
すなわち、第１焦点Ｓ１の近くではレーザ光の像は横長の像Ｓ１になっており、第２焦
点Ｓ２の近くではレーザ光の像は縦長の像Ｓ２になっている。第１焦点Ｓ１と第２焦点Ｓ
２の略中央ではレーザ光の像は円形又は略円形の像Ｆ３になる。この第１焦点Ｓ１及び第
２焦点Ｓ２は対物レンズＬｂと光ディスクＤｓの距離によって変化するものであり、受光
素子Ｐｄにレーザ光の円形又は略円形の像Ｆ３が形成されるように、換言すると、受光素
子Ｐｄが第１焦点Ｓ１と第２焦点Ｓ２の中央又は略中央になるように対物レンズＬｂと光
ディスクＤｓの距離を調整する制御（フォーカシング制御）を行う。
【００４３】
レンズ部３２とビームスプリッタ部３１が一体で形成されているので、それぞれ別に形
成されている場合に比べ、光ヘッド装置Ａに組み込むときに相対的な位置決めの精度を気
にすることなく配置できるので、相対的な位置決め精度を高めるための道具、装置等を必
要としない。また、レンズとビームスプリッタの位置決めをしなくてすむので、難易度の
高い作業を省略することができ、それだけ、組立作業、時間を短縮し、組み立てコストを
低減することが可能である。
【００４４】
図６は本発明にかかる光ヘッド装置に用いられる偏光ビームスプリッタ他の例にレーザ
光が入射してきている状態を示す図である。図６に示すように偏光ビームスプリッタ３Ｂ
ではレーザ光源Ｌｄから入射するレーザ光がビームスプリッタ部３Ｂ１で反射され、光デ
ィスクＤｓで反射されて入射するレーザ光がビームスプリッタ部３Ｂ１を透過するように
形成されている。レンズ部３Ｂ２はビームスプリッタ部３Ｂ１を透過したレーザ光が出射
する面に一体に形成されている。
【００４５】
このように、偏光ビームスプリッタ３Ｂをレーザ光源Ｌｄより出射するレーザ光をビー
ムスプリッタ部３Ｂ１で反射するように形成し、複数のビームスプリッタを配置すること
で、異なる波長を有するレーザ光源を配置し、１つの受光素子Ｐｄでレーザ光を受光する
光ヘッド装置を形成することができる。
【００４６】
上記実施例においてレンズ部の長手方向はレーザ光源より出射されるレーザ光の進行方
向と直交する方向に配置されるものを例示しているが、それに限定されれるものではなく
、平行に形成されるもの、所定の角度を付けて形成されるもの等、非点収差を発生し、受
光素子Ｐｄでレーザ光の非点収差を正確に受光できるように配置するものを広く採用する
ことができる。
【００４７】
上記実施例において、光ヘッド装置は光ディスクに記録されているデータを読み出すた
めの、読出し専用の光ヘッド装置を例に説明しているが、それに限定されるものではなく
、本発明の技術は前記光ディスクにデータを記録するもの、前記光ディスクからデータを
読み出すことができるとともに、前記光ディスクにデータを記録することができるもの等
光ディスクにレーザ光を照射して、その反射光を元にフォーカシング制御を行うものに対
し、広く採用することができる。
【００４８】
上記実施例において、レンズ部としてシリンドリカルレンズと同様の形状で形成されて
いるものを挙げているが、それに限定されるものではなく、フォーカシング制御に必要な
非点収差を発生させることができるレンズと同様の形状のものを広く採用することができ
る。また、アクチュエータ２としてワイヤーばね２４でレンズホルダ２２を弾性支持する
タイプのアクチュエータ例に説明しているが、それに限定されるものではなく、フォーカ
シング制御を行うことができるアクチュエータを広く採用することができる。
【産業上の利用可能性】
【００４９】
本発明の光ヘッド装置は、ＤＶＤ、ＣＤ等の光ディスクを記録媒体とする光ディスク装
置において適用することができる。
【図面の簡単な説明】
【００５０】
【図１】本発明にかかる光ヘッド装置の配置図である。
【図２】図１に示す光ヘッド装置の平面図である。
【図３】図２に示す光ヘッド装置の側断面図である。
【図４】本発明にかかる光ヘッド装置に用いられる偏光ビームスプリッタの斜視図である。
【図５】図４に示す偏光ビームスプリッタにレーザ光が入射してきている状態を示す図である。
【図６】本発明にかかる光ヘッド装置に用いられる偏光ビームスプリッタ他の例にレーザ光が入射してきている状態を示す図である。
【図７】従来の光ヘッド装置の配置図である。
【符号の説明】
【００５１】
Ａ  光ヘッド装置
Ｌｄ  レーザ光源
Ｇｒ  グレーティング
Ｑｂ  １／４波長板
Ｍｒ  ミラー
Ｌｃ  コリメータレンズ
Ｌｂ  対物レンズ
Ｐｄ  受光素子
１  スライドベース
１０  アクチュエータ調整孔
１１  アクチュエータ取付部
１２  光源取付部
２  アクチュエータ
２１  アクトベース
２１１  底部
２１２  突出部
２１３  ヨーク
２１４  永久磁石
２２  レンズホルダ
２２１  貫通孔
２３  支持部
２４  ワイヤーばね
３  偏光ビームスプリッタ
３１  ビームスプリッタ部
３２  レンズ部
【図１】
2007073100.tif 000003
【図２】
2007073100.tif 000004
【図３】
2007073100.tif 000005
【図４】
2007073100.tif 000006
【図５】
2007073100.tif 000007
【図６】
2007073100.tif 000008
【図７】
2007073100.tif 000009